【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
入力表色系の座標値を、無彩色インクと有彩色インクとを含む複数種類のインクで構成されるインク表色系のインク量に変換するための色変換ルックアップテーブルの作成装置であって、
前記無彩色インクのみを用いてグレー階調を表現するグレー階調特性を生成するグレー階調特性生成部と、
前記入力表色系の所定の色点である複数の入力表色系色点のそれぞれに対応付けられた初期値として、前記インク表色系の初期値と、前記入力表色系に対応する機器独立表色系の色点である機器独立表色系色点位置と、を設定する初期値設定部と、
前記複数の機器独立表色系色点の分布を初期位置から平滑化する処理を実行するとともに、平滑化処理後の前記複数の機器独立表色系色点に対応する前記インク表色系のインク量を決定する平滑化処理部と、
前記平滑化処理の結果に基づいて、前記入力表色系の座標値を前記インク表色系のインク量に変換するための色変換ルックアップテーブルを作成するテーブル作成部と、
を備え、
前記テーブル作成部は、前記グレー階調で表現される色点の集合である入力表色系グレー色点群については、前記グレー階調特性生成部の生成した前記グレー階調特性に基づいた色変換ルックアップテーブルを作成する、ルックアップテーブル作成装置。
【請求項２】
請求項１記載のルックアップテーブル作成装置であって、
前記インク表色系は、濃度の異なる複数種類の無彩色インクを含み、
前記グレー階調特性生成部は、前記複数種類の無彩色インクのみを用いてグレー階調を表現するグレー階調特性を生成する、ルックアップテーブル作成装置。
【請求項３】
請求項１又は２記載のルックアップテーブル作成装置であって、さらに、
前記インク表色系のインク量を機器独立表色系の座標値に変換する表色系変換部を備え、
前記初期値設定部は、前記複数の入力表色系色点のそれぞれに対応付けられた前記インク表色系の初期値を、前記表色系変換部を利用して前記機器独立表色系の座標値に変換することによって、前記複数の機器独立表色系色点の初期位置を決定する、ルックアップテーブル作成装置。
【請求項４】
請求項３記載のルックアップテーブル作成装置であって、
前記平滑化処理部と前記初期値設定部は、
（ｉ）前記初期値設定部が、前記入力表色系グレー色点群のグレー階調の値を用いて前記グレー階調特性を参照することによって前記入力表色系グレー色点群に対応する前記無彩色インクのインク量を決定する工程と、
（ｉｉ）前記初期値設定部が、前記表色系変換部を利用して前記無彩色インクのインク量を前記機器独立表色系の色点の座標値に変換する工程と、
（ｉｉｉ）前記平滑化処理部が、前記無彩色インクのインク量に対応する前記機器独立表色系の色点に関する平滑化を実行することによって前記機器独立表色系グレー色点群の位置を決定するとともに、前記機器独立表色系グレー色点群に対応する前記インク表色系のインク量の最適値を前記表色系変換部を利用して決定する工程と、
を含む局所的な平滑化処理を実行する、ルックアップテーブル作成装置。
【請求項５】
請求項４記載のルックアップテーブル作成装置であって、
前記平滑化処理部は、前記入力表色系グレー色点群に関する前記局所的な平滑化処理において、前記入力表色系グレー色点群のうちの最も濃度の高い紙黒点に関しては、前記表色系変換部を利用して前記紙黒点に対応する前記機器独立表色系の色点が可能な限り暗くなるように前記局所的な平滑化処理を実行する、ルックアップテーブル作成装置。
【請求項６】
請求項５記載のルックアップテーブル作成装置であって、
前記入力表色系は、前記ＲＧＢ表色系であり、
前記入力表色系の色空間における前記グレー階調は、前記ＲＧＢ表色系の３つの入力値であるＲ値とＧ値とＢ値とが互いに等しい直線付近にある、ルックアップテーブル作成装置。
【請求項７】
請求項４記載のルックアップテーブル作成装置であって、
前記平滑化処理部は、前記入力表色系グレー色点群に関する前記局所的な平滑化処理において、前記入力表色系グレー色点群のうちの最も濃度の高い最高濃度グレー点に関しては、前記グレー階調特性を参照して得られる前記最高濃度グレー点に対応する前記インク表色系のインク量と、当該インク量から前記機器独立表色系変換部による変換で得られる前記機器独立表色系の色点の位置と、を移動しないように拘束しつつ前記局所的な平滑化処理を実行する、ルックアップテーブル作成装置。
【請求項８】
請求項７記載のルックアップテーブル作成装置であって、
前記入力表色系は、前記ＣＭＹＫ表色系であり、
前記入力表色系の色空間における前記グレー階調は、前記ＣＭＹＫ表色系のＫ軸付近にある、ルックアップテーブル作成装置。
【請求項９】
請求項８記載のルックアップテーブル作成装置であって、
前記入力表色系は、Ｋ値が一定でＣ値とＭ値とＹ値がそれぞれ所定の定義範囲内の値を取るＫレイヤを複数含んでおり、
前記平滑化処理部は、各Ｋレイヤ上の入力表色系色点のうちで前記入力表色系グレー色点群以外の色点に関しては、前記入力表色系グレー色点群に関する前記局所的な平滑化処理で決定された前記インク表色系のインク量のうちの前記無彩色インクのインク量を固定しつつ前記有彩色インク量の変更を許容して前記平滑化処理を実行する、ルックアップテーブル作成装置。
【請求項１０】
請求項１ないし９のいずれかに記載のルックアップテーブル作成装置であって、
前記平滑化処理部は、
前記ＲＧＢ表色系の３次元色立体の外殻面上の色点、又は、前記ＣＭＹＫ表色系においてＫ値が一定である複数の３次元色立体の外殻面上の色点に関して前記平滑化処理を実行し、
前記外殻面上の色点に関する前記平滑化処理の後に、前記外殻面上の色点が移動しないように拘束しつつ、前記外殻面の内側に存在する他の色点に関して前記平滑化処理を実行する、ルックアップテーブル作成装置。
【請求項１１】
入力表色系の座標値を、無彩色インクと有彩色インクとを含む複数種類のインクで構成されるインク表色系のインク量に変換するための色変換ルックアップテーブルの作成方法であって、
（ａ）前記無彩色インクのみを用いてグレー階調を表現するグレー階調特性を生成する工程と、
（ｂ）前記入力表色系の所定の色点である複数の入力表色系色点のそれぞれに対応付けられた初期値として、前記インク表色系の初期値と、前記入力表色系に対応する機器独立表色系の色点である機器独立表色系色点位置と、を設定する工程と、
（ｃ）前記複数の機器独立表色系色点の分布を初期位置から平滑化する処理を実行するとともに、平滑化処理後の前記複数の機器独立表色系色点に対応する前記インク表色系のインク量を決定するとともに、前記平滑化処理の結果に基づいて前記入力表色系の座標値を前記インク表色系のインク量に変換するための色変換ルックアップテーブルを作成する工程と、
を備え、
前記工程（ｃ）は、前記グレー階調で表現される色点の集合である入力表色系グレー色点群については、前記グレー階調特性生成部の生成した前記グレー階調特性に基づいた色変換ルックアップテーブルを作成する工程を含む、ルックアップテーブル作成方法。
【請求項１２】
入力表色系の座標値を、無彩色インクと有彩色インクとを含む複数種類のインクで構成されるインク表色系のインク量に変換するための色変換ルックアップテーブルの作成をコンピュータに行わせるプログラムであって、
（ａ）前記コンピュータが、前記無彩色インクのみを用いてグレー階調を表現するグレー階調特性を生成する工程と、
（ｂ）前記コンピュータが、前記入力表色系の所定の色点である複数の入力表色系色点のそれぞれに対応付けられた初期値として、前記インク表色系の初期値と、前記入力表色系に対応する機器独立表色系の色点である機器独立表色系色点位置と、を設定する工程と、
（ｃ）前記コンピュータが、前記複数の機器独立表色系色点の分布を初期位置から平滑化する処理を実行するとともに、平滑化処理後の前記複数の機器独立表色系色点に対応する前記インク表色系のインク量を決定するとともに、前記平滑化処理の結果に基づいて前記入力表色系の座標値を前記インク表色系のインク量に変換するための色変換ルックアップテーブルを作成する工程と、
を前記コンピュータに実行させるプログラムであり、
前記工程（ｃ）は、前記グレー階調で表現される色点の集合である入力表色系グレー色点群については、前記グレー階調特性生成部の生成した前記グレー階調特性に基づいた色変換ルックアップテーブルを作成する工程を含む、ルックアップテーブル作成プログラム。
【手続補正２】
【補正対象書類名】明細書
【補正対象項目名】００１１
【補正方法】変更
【補正の内容】
【００１１】
この装置によれば、予めグレー階調特性を設定しておき、入力表色系グレー色点群に対応するインク表色系のインク量をグレー階調特性に基づいて決定するので、入力表色系のグレー階調の色を再現する際に無彩色インクが優先的に利用されるように色変換ルックアップテーブルを作成することができる。
【手続補正３】
【補正対象書類名】明細書
【補正対象項目名】００１６
【補正方法】変更
【補正の内容】
【００１６】
［適用例４］  適用例３記載のルックアップテーブル作成装置であって、
前記平滑化処理部と前記初期値設定部は、
（ｉ）前記初期値設定部が、前記入力表色系グレー色点群のグレー階調の値を用いて前記グレー階調特性を参照することによって前記入力表色系グレー色点群に対応する前記無彩色インクのインク量を決定する工程と、
（ｉｉ）前記初期値設定部が、前記表色系変換部を利用して前記無彩色インクのインク量を前記機器独立表色系の色点の座標値に変換する工程と、
（ｉｉｉ）前記平滑化処理部が、前記無彩色インクのインク量に対応する前記機器独立表色系の色点に関する平滑化を実行することによって前記機器独立表色系グレー色点群の位置を決定するとともに、前記機器独立表色系グレー色点群に対応する前記インク表色系のインク量の最適値を前記表色系変換部を利用して決定する工程と、
を含む局所的な平滑化処理を実行する、ルックアップテーブル作成装置。
【手続補正４】
【補正対象書類名】明細書
【補正対象項目名】００３３
【補正方法】変更
【補正の内容】
【００３３】
ベースＬＵＴ作成モジュール１００は、グレー階調作成モジュール１１０と、スムージング処理初期値設定モジュール１２０と、スムージング処理モジュール１３０と、テーブル作成モジュール１４０とを有している。スムージング処理モジュール１３０は、色点移動モジュール１３２と、インク量最適化モジュール１３４と、画質評価指数算出モジュール１３６とを有している。フォワードモデルコンバータ３００は、分光プリンティングモデルコンバータ３１０と、色算出部３２０とを備えている。これらの各部の機能については後述する。